(57)【特許請求の範囲】
【請求項１】
温水を貯える温水タンクと、温水を噴出するノズルと、前記温水タンクと前記ノズルとを接続する温水経路と、前記温水経路の途中に設けられ温水を前記ノズルへ搬送して噴出させる水ポンプと、洗浄剤等の剤を前記温水経路に供給する剤供給手段と、前記剤供給手段と前記ノズルとの間の前記温水経路に設けられ前記温水経路に空気を混合させる空気混合手段とを含み、前記剤供給手段は、剤を貯える剤タンクと、前記温水経路の途中に配設された温水と剤とを混合させる剤混合部と、前記剤混合部に一端部が接続されると共に他端部が前記剤タンク内の下端部に配置された剤経路と、前記剤タンク内の剤を前記剤経路に送り出すための加圧用空気を供給する空気供給部と、前記空気供給部に一端部が接続されると共に他端部が前記剤タンクの上部に接続された空気供給路と、前記剤タンクの上端部に一端部が接続されると共に他端部が外部に開放された圧力逃がし経路と、前記圧力逃がし経路の途中に開閉弁とを備え、前記空気混合手段は、前記剤混合部と前記ノズルとの間の前記温水経路に設けられた空気混合部と、前記空気混合部に一端部が接続されると共に他端部が前記空気供給路の途中に接続された空気経路を備えたことを特徴とする局部洗浄装置。
【請求項２】
温水を貯える温水タンクと、温水を噴出するノズル、前記温水タンクと前記ノズルとを接続する温水経路と、前記温水経路の途中に設けられ温水を前記ノズルへ搬送して噴出させる水ポンプと、洗浄剤等の剤を前記温水経路に供給する剤供給手段と、前記剤供給手段と前記ノズルとの間の前記温水経路に設けられ前記温水経路に空気を混合させる空気混合手段と、剤が混入された温水を前記ノズルより噴出させる剤洗浄開始用のスイッチと、剤の温水への混入が停止されて温水のみを前記ノズルより噴出させる剤洗浄停止用のスイッチと、温水の前記ノズルからの噴出を停止する温水洗浄停止用のスイッチと、制御手段とを含み、前記制御手段は前記剤洗浄停止用のスイッチを入れると所定時間は温水洗浄停止用のスイッチを受付けないことを特徴とする局部洗浄装置。
【請求項３】
前記制御手段は、前記剤洗浄開始用のスイッチを入れた際に噴出される剤が混入された温水の時間当り流量よりも、前記剤洗浄停止用のスイッチを入れた際に噴出される温水のみの時間当り流量を多くすることを特徴とする請求項２記載の局部洗浄装置。
【請求項４】
前記制御手段は、温水のみを噴出する際、温水の時間当り流量を周期的に変化させることを特徴とする請求項２記載の局部洗浄装置。
【発明の詳細な説明】
【０００１】
【発明の属する技術分野】
本発明は、人体局部を洗浄するための局部洗浄装置に関するものである。
【０００２】
【従来の技術】
人体の局部を洗浄する局部洗浄装置は、図５に示すように、便座８１の後部等の便器近傍に装置本体８２が配置され、便座８１の開口後部に位置するように温水を噴出するノズル２が突設され、装置本体８２の側部にノズル２からの温水の噴出を操作する操作部７が配設されるものである。
【０００３】
従来の局部洗浄装置は、図１１，図１３に示すように、水道等の水源８３からの水をヒーター（図示せず）で加熱して温水として貯える温水タンク１と、温水タンク１とノズル２とを接続する温水経路３と、温水タンク１の温水をノズル２に搬送してノズル２から噴出させるための水ポンプ４及び、洗浄剤等の剤を温水経路３に供給する剤供給手段５を温水経路３の途中に設けてある。
【０００４】
また剤供給手段５は、剤を貯える剤タンク５１を設けると共に、温水経路３の途中に温水と剤とが混合される剤混合部５２を配設し、剤タンク５１と剤混合部５２とを剤経路５３で接続して、剤タンク５１内に貯えられた剤を剤混合部５２に搬送して温水と混合させるものである。なお、剤タンク５１内に貯えられた剤を剤混合部５２に搬送するにあたっては、空気ポンプ５５ａを設置すると共にこの空気ポンプ５５ａと剤タンク５１の上端部とを空気供給路５６で接続し、空気ポンプ５５ａより剤タンク５１に送り込む空気の圧力で剤タンク１内の剤を剤経路５３を介して剤混合部５２に送り出し、温水経路３に剤が混合された温水を流すものである。また、剤経路５３には、逆止弁５４が設けてあり、剤タンク１に温水が逆流するのを阻止することができる。なお図中８２’は装置本体を示す。
【０００５】
この従来の局部洗浄装置は、図１２に示すように、用便後に操作部７を操作することにより、剤が混入された温水や温水のみをノズルより噴出して局部に当てて洗浄するものである。なお、図中Ｗは温水（剤無し）を、Ｌは剤を示す。
【０００６】
しかしながら、このような従来の局部洗浄装置にあっては、剤混合部５２にて剤Ｌを温水Ｗに混合させるのであるが、この温水経路を流れる剤が混合された温水（Ｗ＋Ｌ）には空気は混合されないものであり、ノズル２より噴出されて人体局部８４に当たった時の衝撃で少量の空気が混合されて界面活性が形成されるものの、この少量の空気によって形成される界面活性では人体局部８４付近に付着した油分を洗浄するには不充分であり、また、使用者が温水のみの洗浄で得られる洗浄感と比較しても差異がないため、満足度の低いものであった。
【０００７】
【発明が解決しようとする課題】
本発明は上記の点に鑑みてなされたものであり、その目的とするところは、剤が混合された温水に空気を混合してこの温水を泡沫状にすることで、この剤が混合された温水に充分な界面活性を形成して局部付近に付着した油分等を洗浄することができ、更に、泡沫状の温水を局部に当てることで良好な洗浄感の得られる局部洗浄装置を提供することを課題とするものである。
【０００８】
【課題を解決するための手段】
上記課題を解決するために本発明に係る局部洗浄装置は、温水を貯える温水タンク１と、温水を噴出するノズル２と、温水タンク１とノズル２とを接続する温水経路３と、温水経路３の途中に設けられ温水をノズル２へ搬送して噴出させる水ポンプ４と、洗浄剤等の剤を温水経路３に供給する剤供給手段５と、剤供給手段５とノズル２との間の温水経路３に設けられ温水経路３に空気を混合させる空気混合手段６とを含み、剤供給手段５は、剤を貯える剤タンク５１と、温水経路３の途中に配設された温水と剤とを混合させる剤混合部５２と、剤混合部５２に一端部が接続されると共に他端部が剤タンク５１内の下端部に配置された剤経路５３と、剤タンク５１内の剤を剤経路５３に送り出すための加圧用空気を供給する空気供給部５５と、空気供給部５５に一端部が接続されると共に他端部が剤タンク５１の上部に接続された空気供給路５６と、剤タンク５１の上端部に一端部が接続されると共に他端部が外部に開放された圧力逃がし経路５７と、圧力逃がし経路５７の途中に開閉弁５８とを備え、空気混合手段６は、剤混合部５２とノズル２との間の温水経路３に設けられた空気混合部６２と、空気混合部６２に一端部が接続されると共に他端部が空気供給路５６の途中に接続された空気経路６３を備えたことを特徴とするものである。
このような構成とすることで、剤が混入された温水で人体局部８４を洗浄する際、この剤が混入された温水に細かい気泡を分散させて泡沫状にし、充分な界面活性が形成された状態でノズル２より噴出させることができ、これによって、局部８４付近に付着した油分等を洗浄することができると共に、泡沫状の温水を人体の局部８４に当てることができて良好な洗浄感を得ることが可能となるものである。また、剤タンク５１からの剤の供給を停止する際に、圧力逃がし経路５７の開閉弁５８を開放して剤タンク５１内の空気の圧力を即座に大気圧にほぼ等しくすることができて、空気が剤を押し下げて剤混合部５２へ剤を送り出すのを迅速に停止することが可能となる。また、剤供給手段５の空気供給部５５と空気混合手段６の混合空気供給部６１とを兼用することができて、局部洗浄装置のコスト削減及びサイズ縮小を図ることが可能となる。
【０００９】
また、温水を貯える温水タンク１と、温水を噴出するノズル２と、温水タンク１とノズル２とを接続する温水経路３と、温水経路３の途中に設けられ温水をノズル２へ搬送して噴出させる水ポンプ４と、洗浄剤等の剤を温水経路３に供給する剤供給手段５と、剤供給手段５とノズル２との間の温水経路３に設けられ温水経路３に空気を混合させる空気混合手段６と、剤が混入された温水を前記ノズル２より噴出させる剤洗浄開始用のスイッチ７３と、剤の温水への混入が停止されて温水のみをノズルより噴出させる剤洗浄停止用のスイッチ７４と、温水のノズル２からの噴出が停止する温水洗浄停止用のスイッチ７２と、制御手段とを含み、制御手段は剤洗浄停止用のスイッチ７４を入れると所定時間は温水洗浄停止用のスイッチ７２を受付けないことが好ましい。
このような構成とすることで、剤洗浄の後で所定時間は必ず温水のみによる洗浄が行われるので、人体局部８４や人体局部８４周辺に付着した剤を洗い流すことができてかぶれたりするのを防止することができ、更に、温水経路３を剤が混入された温水が流れた後に温水のみを流すことで、この温水経路３やノズル２等に付着したり固着しかけている剤を洗い流すことが可能となる。
【００１０】
また、制御手段は、剤洗浄開始用のスイッチ７３を入れた際に噴出される剤が混入された温水の時間当り流量よりも、剤洗浄停止用のスイッチ７４を入れた際に噴出される温水のみの時間当り流量を多くすることが好ましい。
【００１１】
このような構成とすることで、温水経路３を剤が混入された温水が流れた後に多量の温水のみを流すことができて、温水経路３やノズル２等に付着したり固着しかけている剤を高圧の温水で洗い流すことが可能となる。
【００１２】
また、制御手段は、温水のみを噴出する際、温水の時間当り流量を周期的に変化させることが好ましい。
【００１３】
このような構成とすることで、温水経路３を流れる温水の圧力変化が大きくなり、温水経路３やノズル２等に付着したり固着しかけている剤を充分に洗い流すことが可能となる。
【００１４】
【発明の実施の形態】
以下、本発明を添付図面に示す実施形態に基づいて説明する。
【００１５】
人体の局部を洗浄する局部洗浄装置は、トイレルーム内において便器近傍に配置されるもので、図５に示すように、上部に便座８１が配置される便器の後部に装置本体８２が固定され、装置本体８２の側部には操作部７が設けられる。
【００１６】
装置本体８２は、図１に示すように、温水タンク１と、温水を噴出するノズル２と、前記温水タンク１とノズル２とを接続する温水経路３とで主体が構成される。温水タンク１は、人体局部８４を洗浄するための温水を貯えるもので、水道等の水源８３からの水を内部に貯えると共に、内部に設けたヒーター（図示せず）で水を加熱して温水にするものである。温水経路３は、一端部が温水タンク１に接続されると共に他端部がノズル２に接続され、温水タンク１の温水をノズル２に搬送するものである。ノズル２は、温水を噴出して人体局部８４に当てるもので、後述するが、温水を泡沫状にして噴出するように先端部を形成してある。また、温水経路３の途中には、温水タンク１の温水をノズル２に送り出すと共に、ノズル２から温水を噴出させるための水ポンプ４が設けてある。そして更に、温水経路３の途中には、剤を温水経路３に供給する剤供給手段５が設けてある。
【００１７】
剤供給手段５は、図３に示すように、剤タンク５１と、温水経路３の途中に配設される剤混合部５２と、前記剤タンク５１と剤混合部５２とを接続する剤経路５３とで主体が構成される。剤タンク５１は、人体局部８４を洗浄する洗浄剤等の液状の剤が貯えられる。この剤タンク５１内の剤は、後述するが、剤タンク５１内に供給される空気に押し下げられてタンク外に押し出されるもので、剤タンク５１内の下端部に剤の出口となる剤経路５３の一端部が配置される。そして、剤経路５３の他端部は剤混合部５２に接続されるものである。
【００１８】
剤混合部５２は、温水経路３の上流側開口，下流側開口及び剤経路５３側開口の三開口（特に図示せず）を有する分岐栓を温水経路３の途中に設けて形成してある。この剤混合部５２で、上流側開口から下流側開口に流れる温水に剤経路５３側の開口から剤を混合させるものである。また、この際に温水が剤経路５３側の開口から剤経路５３に逆流するのを防止するため、剤経路５３の途中に逆止弁５４が設けてある。また本実施形態では、この剤混合部５２は、水ポンプ４と温水タンク１との間の温水経路３（即ち水ポンプ４の下流側）に配設してある。このようにすることで、剤が水ポンプ４内を流れることで水ポンプ４内に固着してしまい、水ポンプ４の性能を損なって寿命が縮まるのを防止することができる。
【００１９】
また、この剤タンク５１内の剤を剤混合部５２へ送り出すため、剤タンク５１の外側に空気ポンプ等の加圧用空気を供給する空気供給部５５を設け、この空気供給部５５に空気供給路５６の一端部を接続すると共に、空気供給路５６の他端部を剤タンク５１の上部に接続する。更に、剤タンク５１内の圧力を開放するための圧力逃がし経路５７の一端部を剤タンク５１の上端部に接続し、圧力逃がし経路５７の他端部を外部に開放し、圧力逃がし経路５７の途中にこの圧力逃がし経路５７を開閉するための開閉弁５８が設けてある。なお、開閉弁５８には電磁弁を用いることが好ましい。
【００２０】
剤タンク５１内の剤Ｌを剤混合部５２に送り出すには、図３に示すように、まず空気供給部５５より空気供給路５６を介して剤タンク５１内に空気Ａ０を供給する。この時、圧力逃がし経路５７の途中に設けた開閉弁５８は閉じておく。これによって、剤タンク５１内に供給された空気Ａ０は剤タンク５１内の上部に溜まって高圧の気溜りＡ１となり、液状の剤Ｌを押し下げることで剤Ｌが剤タンク５１内の下端部に配置された剤経路５３の端部より剤経路５３へと入り、この剤経路５３を通ってもう一方の端部より剤混合部５２へと送り出されるものである。またこの時、剤Ｌの希釈率即ち、温水に混合させる剤Ｌの量は、空気供給部５５からの剤タンク５１内に供給する空気量を調節することにより行う。
【００２１】
また、温水への剤Ｌの供給を停止するには、空気供給部５５より剤タンク５１内に空気Ａ０を供給するのを停止すると共に、圧力逃がし経路５７の開閉弁５８を開いて剤タンク５１内の上部に溜まっている高圧の気溜りＡ１を開放することで行う。このように、空気供給部５５からの空気Ａ０の供給を停止するだけでなく、剤タンク５１に設けた圧力逃がし経路５７を開くことで、剤タンク５１からの剤Ｌの供給を停止する際に、圧力逃がし経路５７の開閉弁５８を開放して剤タンク５１内の空気の圧力を即座に大気圧にほぼ等しくすることができて、空気が剤Ｌを押し下げて剤混合部５２へ剤を送り出すのを迅速に停止することができる。なお、開閉弁５８に電磁弁が用いてあると、開閉を迅速に行うことができて、一層迅速に剤タンク５１からの剤Ｌの供給を停止することができる。
【００２２】
そして、本発明の局部洗浄装置においては、剤混合部５２とノズル２との間の温水経路３に空気混合手段６を設けるものである。
【００２３】
空気混合手段６は、図１に示すように、混合空気供給部６１と、温水経路３の途中に配設される空気混合部６２と、混合空気供給部６１と空気混合部６２とを接続する空気経路６３とで構成される。混合空気供給部６１は、温水に混合させるための空気を供給するもので、空気ポンプ等からなるものである。また、空気混合部６２は、温水経路３の上流側開口，下流側開口及び空気経路６３側の開校の三開口（特に図示せず）を有する分岐栓を温水経路３の途中に設けて形成してある。
【００２４】
温水に空気を混合させるには、図２に示すように、混合空気供給部６１より空気経路６３を介して空気混合部６２に混合用の空気Ａを供給し、空気混合部６２にて上流側開口から下流側開口に流れる温水Ｗに空気経路６３側の開口から空気Ａを混合させるものである。なお、図中のＷは温水（剤無し）を、Ｌは剤を、Ａは空気を、Ｂは後述する泡沫状の温水をそれぞれ示す。
【００２５】
また、空気混合手段６の他例として、図６に示すように、剤供給手段５の空気供給部５５と空気混合手段６の混合空気供給部６１とを兼用したものであってもよい。空気混合手段６は、上述したように、混合空気供給部６１と空気混合部６２と、これらを接続する空気経路６３とからなるものであるが、このうちの混合空気供給部６１を空気供給部５５と兼用するものである。更に詳述すると、混合空気供給部６１としての空気供給部５５側の空気経路６３の端部を、空気供給部５５と剤タンク５１とを接続する空気供給路５６の途中に配設した空気分岐栓６４に接続したものである。このようにすることで、空気供給部５５と混合空気供給部６１とを兼用することができて、局部洗浄装置のコスト削減及びサイズ縮小を図ることが可能となる。
【００２６】
このようにして空気が混合された温水は、ノズル２より人体局部８４に向けて噴出されるものである。ノズル２は、温水経路３の下流側の端部に設けるもので、便器内に向けて局部洗浄装置の装置本体８２より収納自在に突出させてある。そしてノズル先端部２１は、空気が混入された温水を泡沫状に噴出することができるように形成してある。これは、図４に示すように、ノズル２の本体のシリンダーと称される筒状部分２２内に温水経路３からの温水流路２３を形成し、ノズル先端部２１において温水流路２３の下流側端部に流体素子２４と称されるサーキット状の流路二個を内側で連続して略∞字状になるように並設し、この流体素子２４二個の連続部分より噴出口２６側に噴出流路２５を形成し、流体素子２４及び噴出流路２５の合計三個の流路をノズル先端部２１に形成したものである。このようにノズル２を形成することで、温水経路３よりノズル２に流れてくる空気が混合された温水は、ノズル２の温水流路２３を流れてノズル先端部２１に入り、サーキット状の流体素子２４を周回した際に二個の流体素子２４の連続部分の図中Ｐでそれぞれの流体素子２４を周回した温水が衝突し、混合されている空気が細かい気泡となって温水中に分散された状態で噴出流路２５を流れ、噴出口２６より人体局部８４に向けて噴出されるものである。
【００２７】
このような装置本体８２の側部には、操作部７が設けてある。操作部７は、装置本体８２の空気供給部５５や開閉弁５８等の機器を制御する制御手段が内蔵され、使用者が制御手段に制御指令を入力するためのスイッチ７０が上面に設けてある。なお、制御手段は操作部７にではなく装置本体８２に設けてあってもよい。
【００２８】
スイッチは、図７に示すように、温水洗浄用のスイッチ７１と温水洗浄停止用のスイッチ７２、及び、剤洗浄開始用のスイッチ７３と剤洗浄停止用のスイッチ７４、更に、温水洗浄用のスイッチ７１に付随して設けてあるパルススイッチ７１ａと流量スイッチ７１ｂ，７１ｃ，７１ｄとからなるものである。
【００２９】
温水洗浄用のスイッチ７１は、温水の洗浄を行う際に入れるもので、この時、ノズル２より噴出される温水の流量を流量スイッチ（高スイッチ７１ｂ，中スイッチ７１ｃ，低スイッチ７１ｄ）にて選択したり、パルススイッチ７１ａにて後述するパルス洗浄を行うことができる。温水洗浄停止用のスイッチ７２は、ノズル２からの温水の噴出を停止させるものである。
【００３０】
また、剤が混合された温水で人体局部８４を洗浄する場合には、剤洗浄開始用のスイッチ７３と剤洗浄停止用のスイッチ７４とを使用するもので、図８に示す洗浄パターンについて説明する。
【００３１】
用便後、剤が混合された温水にて洗浄する場合、まず、図中９３の時点で剤洗浄開始用のスイッチ７３を入れる。これによって、剤が混合された温水がノズル２より人体局部８４に向けて噴出される（図中９１参照）。次に、図中９４の時点で剤洗浄停止用のスイッチ７４を入れ、剤が混合された温水による洗浄を停止する。これは、温水に剤を混合させるのを停止し、温水のみをノズル２より噴出させるものである（図中９２参照）。そして、図中９５の時点で温水洗浄停止用のスイッチ７２を入れることで、ノズル２からの温水の噴出を停止し、温水による人体局部８４の洗浄を停止するものである。このようにすることで、剤洗浄の後で温水のみによる洗浄が行われるので、人体局部８４や人体局部８４周辺に付着した剤を洗い流すことができてかぶれたりするのを防止することができ、更に、温水経路３を剤が混入された温水が流れた後に温水のみを流すことで、この温水経路３やノズル２等に付着したり固着しかけている剤を洗い流すことができる。
【００３２】
以上のような構成によれば、温水経路３の途中に空気混合手段６を設けたことで、剤が混入された温水で人体局部８４を洗浄する際、この剤が混入された温水に細かい気泡を分散させて泡沫状にし、充分な界面活性が形成された状態でノズル２より噴出させることができ、これによって、人体局部８４付近に付着した油分等を洗浄することができると共に、泡沫状の温水を人体局部８４に当てることができて良好な洗浄感を得ることが可能となるものである。
【００３３】
また、剤洗浄停止用のスイッチ７４を入れた際、図中９２に示す温水のみの噴出を強制的に所定時間継続させ、この間は温水洗浄停止用のスイッチ７２を受付けないように制御手段を設定してもよい。これは例えば、流量スイッチの高スイッチ７１ｂを入れた場合には５秒間、中スイッチ７１ｃを入れた場合には１０秒間、低スイッチ７１ｄを入れた場合には１５秒間は温水洗浄停止用のスイッチ７２を受付けないようにしたりするものである。このようにすることで、剤洗浄の後で所定時間は必ず温水のみによる洗浄が行われるので、人体局部８４や人体局部８４周辺に付着した剤を洗い流すことができてかぶれたりするのを防止することができ、更に、温水経路３を剤が混入された温水が流れた後に温水のみを流すことで、この温水経路３やノズル２等に付着したり固着しかけている剤を洗い流すことが可能となる。
【００３４】
また、図９に示すように、図中９１に示す剤が混入された温水の時間当り流量よりも、図中９２に示す温水のみの時間当り流量が多くなるように制御手段を設定してもよい。このようにすることで、温水経路３を剤が混入された温水が流れた後に多量の温水のみを流すことができて、温水経路３やノズル２等に付着したり固着しかけている剤を高圧の温水で洗い流すことが可能となる。
【００３５】
また、図中９２に示す温水のみの時間当り流量を周期的に変化するようにしてもよい。例えば図１０に示すものは、０．２秒おきに流量を１．２リットル／分と０．６リットル／分とに切替える所謂パルス洗浄と称される洗浄パターンのものである。このようにすることで、温水経路３を流れる温水の圧力変化を大きくすることができ、温水経路３やノズル２等に付着したり固着しかけている剤を充分に洗い流すことが可能となる。
【００３６】
【発明の効果】
上記のように本発明の請求項１記載の発明にあっては、温水を貯える温水タンクと、温水を噴出するノズルと、前記温水タンクと前記ノズルと接続する温水経路と、前記温水経路の途中に設けられ温水を前記ノズルへ搬送して噴出させる水ポンプと、洗浄剤等の剤を前記温水経路に供給する剤供給手段と、前記剤供給手段と前記ノズルとの間の前記温水経路に設けられた前記温水経路に空気を混合させる空気混合手段とを含み、前記剤供給手段は、剤を貯える剤タンクと、前記温水経路の途中に配設された温水と剤とを混合させる剤混合部と、前記剤混合部に一端部が接続されると共に他端部が剤タンク内の下端部に配置された剤経路と、前記剤タンク内の剤を前記剤経路に送り出すための加圧用空気を供給する空気供給部と、前記空気供給部に一端部が接続されると共に他端部が前記剤タンクの上部に接続された空気供給路と、前記剤タンクの上端部に一端部が接続されると共に他端部が外部に開放された圧力逃がし経路と、前記圧力逃がし経路の途中に開閉弁とを備え、前記空気混合手段は、前記剤混合部と前記ノズルとの間の前記温水経路に設けられた空気混合部と、前記空気混合部に一端部が接続されると共に他端部が前記空気供給路の途中に接続された空気経路を備えたものである。
【００３７】
これにより剤が混入された温水で人体の局部を洗浄する際、この剤が混入された温水に細かい気泡を分散させて泡沫状にし、充分な界面活性が形成された状態でノズルより噴出させることができ、これによって、局部付近に付着した油分等を洗浄することができると共に、泡沫状の温水を人体の局部に当てることができて良好な洗浄感を得ることが可能となるものである。また、剤タンクからの剤の供給を停止する際に、圧力逃がし経路の開閉弁を開放して剤タンク内の空気の圧力を即座に大気圧にほぼ等しくすることができて、空気が剤を押し下げて剤混合部へ剤を送り出すのを迅速に停止することが可能となる。また、剤供給手段の空気供給部と空気混合手段の混合空気供給部とを兼用することができて、局部洗浄装置のコスト削減及びサイズ縮小を図ることが可能となる。
【００３８】
また請求項２記載の発明にあっては、温水を貯える温水タンクと、温水を噴出するノズル、前記温水タンクと前記ノズルとを接続する温水経路と、前記温水経路の途中に設けられ温水をノズルへ搬送して噴出させる水ポンプと、洗浄剤等の剤を前記温水経路に供給する剤供給手段と、前記剤供給手段と前記ノズルとの間の前記温水経路に設けられ前記温水経路に空気を混合させる空気混合手段と、剤が混入された温水を前記ノズルより噴出させる剤洗浄開始用のスイッチと、剤の温水への混入が停止されて温水のみを前記ノズルより噴出させる剤洗浄停止用のスイッチと、温水の前記ノズルからの噴出を停止する温水洗浄停止用のスイッチと、制御手段とを含み、前記制御手段は、前記剤洗浄停止用のスイッチを入れると所定時間は前記温水洗浄停止用のスイッチを受付けないので、剤洗浄の後で所定時間は必ず温水のみによる洗浄が行われるので、人体の局部や局部周辺に付着した剤を洗い流すことができてかぶれたりするのを防止することができ、更に、温水経路を剤が混入された温水が流れた後に温水のみを流すことで、この温水経路やノズル等に付着したり固着しかけている剤を洗い流すことが可能となる。
【００３９】
また請求項３記載の発明にあっては、上記請求項２記載の発明の効果に加えて、前記制御スイッチは、前記剤洗浄開始用のスイッチを入れた際に噴出される剤が混入された温水の時間当り流量よりも、前記剤洗浄停止用のスイッチを入れた際に噴出される温水のみの時間当り流量を多くするので、温水経路を剤が混入された温水が流れた後に多量の温水のみを流すことができて、温水経路やノズル等に付着したり固着しかけている剤を高圧の温水で洗い流すことが可能となる。
【００４０】
また請求項４記載の発明にあっては、上記請求項２記載の発明の効果に加えて、前記制御手段は、温水のみを噴出する際、温水の時間当り流量を周期的に変化させるので、温水経路を流れる温水の圧力変化が大きくなり、温水経路やノズル等に付着したり固着しかけている剤を充分に洗い流すことが可能となる。
【図面の簡単な説明】
【図１】  本発明の一実施形態の説明図である。
【図２】  同上における温水と剤と空気の流れの説明図である。
【図３】  同上の剤供給手段の詳細説明図である。
【図４】  同上のノズルを示し、（ａ）は斜視図であり、（ｂ）はノズル先端部の断面図である。
【図５】  局部洗浄装置の全体図である。
【図６】  空気混合手段の他例の説明図である。
【図７】  操作部の説明図である。
【図８】  洗浄についての説明図であり、（ａ）は剤洗浄のパターン図であり、（ｂ）は温水洗浄のパターン図である。
【図９】  洗浄パターンの一例の説明図である。
【図１０】  洗浄パターンの他例の説明図である。
【図１１】  従来例の説明図である。
【図１２】  従来例の温水と剤の流れの説明図である。
【図１３】  従来例の剤供給手段の詳細説明図である。
【符号の説明】
１  温水タンク
２  ノズル
３  温水経路
４  水ポンプ
５  剤供給手段
６  空気混合手段
【図１】
0004736262.tif 000002
【図２】
0004736262.tif 000003
【図３】
0004736262.tif 000004
【図４】
0004736262.tif 000005
【図５】
0004736262.tif 000006
【図６】
0004736262.tif 000007
【図７】
0004736262.tif 000008
【図８】
0004736262.tif 000009
【図９】
0004736262.tif 000010
【図１０】
0004736262.tif 000011
【図１１】
0004736262.tif 000012
【図１２】
0004736262.tif 000013
【図１３】
0004736262.tif 000014